(57)【要約】  本発明は、廃棄物のさまざまな相異なったタイプの廃棄物を受け入れるようになされた複数の廃棄物容器（３）を含む廃棄物モジュール（１）に関する。各廃棄物容器（３）は、廃棄物モジュール（１）から取外し可能であり、取外し可能な蓋部（９）と、取外し可能な基部（７）とを有する。取外し可能な蓋部（９）および取外し可能な基部（７）は、廃棄物容器（３）に取外し可能な蓋部（９）および取外し可能な基部（７）を固定するためのネジ機構を有する。廃棄物容器（３）の外面（８）は、蓋部（９）および基部（７）の上のネジ機構を係合するためのネジ係合部を有する。
2009507741.tif 000002
【特許請求の範囲】
【請求項１】
フレーム部（２）と、蓋部（５）とを備え、
前記フレーム部（２）が、少なくとも１つの廃棄物容器（３）を収容することができ、
前記蓋部（５）が、前記少なくとも１つの廃棄物容器（３）の閉鎖手段（９）に解除可能に係合させることができる廃棄物モジュール（１）。
【請求項２】
基部（１４１）をさらに備え、
前記基部（１４１）が、前記少なくとも１つの廃棄物容器（１０３）を前記廃棄物モジュール（１０１）に解除可能に係合させることができる少なくとも１つの係合手段（１４２）を備える、請求項１に記載の廃棄物モジュール（１、１０１）。
【請求項３】
前記蓋部（１０５）が、第１の閉位置と第２の開位置の間で可動であり、
前記蓋部（１０５）の移動が、前記廃棄物容器（１０３）の本体部（１０８）から前記蓋部（１０５）を移動させるために、前記第１の位置と前記第２の位置の間の移動の間、前記蓋部（１０５）に係合している閉鎖手段（１０９）のいずれも前記蓋部（１０５）に係合されたままであるようにする、請求項１または２に記載の廃棄物モジュール（１、１０１）。
【請求項４】
前記閉鎖手段（９）の外面が、前記閉鎖手段（９）を前記蓋部（５）に解除可能に係合するためのネジ機構を備える、請求項１から３のいずれか一項に記載の廃棄物モジュール（１、１０１）。
【請求項５】
前記閉鎖手段が取手部（１４、１１４）を備える、請求項１から４のいずれか一項に記載の廃棄物モジュール（１、１０１）。
【請求項６】
請求項４に従属するとき、前記ネジ機構（１４３）が、前記取手部（１１４）の外面にある、請求項５に記載の廃棄物モジュール（１０１）。
【請求項７】
前記閉鎖手段（９）の内面が、前記閉鎖手段（９）を前記少なくとも１つの廃棄物容器（３）の外面に解除可能に係合するためのネジ閉鎖機構を備える、請求項１から６のいずれか一項に記載の廃棄物モジュール（１、１０１）。
【請求項８】
前記廃棄物容器（３）が、シリンダ形状を有する、請求項１から７のいずれか一項に記載の廃棄物モジュール（１）。
【請求項９】
前記少なくとも１つの廃棄物容器（３）が、部分的に剛体の材料を備える、請求項１から８のいずれか一項に記載の廃棄物モジュール（１）。
【請求項１０】
前記少なくとも１つの廃棄物容器（３）が、前記廃棄物モジュール（１）から取外し可能である、請求項１から９のいずれか一項に記載の廃棄物モジュール（１）。
【請求項１１】
前記少なくとも１つの廃棄物容器（３）が、以下の１、２、３、４、５、６、７、８、９、１０、１１および１２のいずれか１の個数の廃棄物容器（３）を備える、請求項１から１０のいずれか一項に記載の廃棄物モジュール（１）。
【請求項１２】
前記閉鎖手段が、取外し可能な蓋部（９）を備える、請求項１から１１のいずれか一項に記載の廃棄物モジュール（１）。
【請求項１３】
前記閉鎖手段が、取外し可能な基部（７）を備える、請求項１から１２のいずれか一項に記載の廃棄物モジュール（１）。
【請求項１４】
前記閉鎖手段が、臭気シールを備える、請求項１から１３のいずれか一項に記載の廃棄物モジュール（１）。
【請求項１５】
前記臭気シールが、ゴムまたは他の適した密封材料である、請求項１４に記載の廃棄物モジュール（１）。
【請求項１６】
前記少なくとも１つの廃棄物容器（３）が、さまざまなタイプの廃棄物を受け入れるように構成されている、請求項１から１５のいずれか一項に記載の廃棄物モジュール（１）。
【請求項１７】
前記少なくとも１つの廃棄物容器（３）が、前記廃棄物モジュール（１）の中に堅く嵌合されるように成形されている、請求項１から１６のいずれか一項に記載の廃棄物モジュール（１）。
【請求項１８】
前記少なくとも１つの廃棄物容器（３）が、滑らかな内部を有する、請求項１から１７のいずれか一項に記載の廃棄物モジュール（１）。
【請求項１９】
形状が、長方形、正方形、三角形または円形である、請求項１から１８のいずれか一項に記載の廃棄物モジュール（１）。
【請求項２０】
前記フレーム部（２）が、扉部（４）を有する、請求項１から１９のいずれか一項に記載の廃棄物モジュール（１）。
【請求項２１】
前記フレーム部（２）が、前記廃棄物モジュール（１）がキッチンユニットの中で摺動可能であることが可能であるための案内手段に取付け可能である、請求項１から２０のいずれか一項に記載の廃棄物モジュール（１）。
【請求項２２】
請求項２１に従属するとき、前記扉部（４）が、作り付けキッチンの中に一体化するための木製パネルを有する、請求項２０または２１に記載の廃棄物モジュール（１）。
【請求項２３】
少なくとも１つの開口部（１０）が形成された本体部（８）を備え、
前記開口部（１０）が、前記閉鎖手段（９）に解除可能に係合可能であり、
前記閉鎖手段（９）の外面が、前記廃棄物モジュール（１）の蓋部（５）に解除可能に係合するために適した係合手段を有する、請求項１から２２のいずれか一項に記載の廃棄物容器（３）。
【請求項２４】
前記閉鎖手段（９）が、前記廃棄物容器（３）の前記閉鎖手段（９）が前記廃棄物モジュール（１）の前記蓋部（５）に係合されない第１の位置から前記閉鎖手段（９）が前記廃棄物モジュール（１）の前記蓋部（５）に係合される第２の位置に前記閉鎖手段（９）を移動させることができる取手部（１４）をさらに有する、請求項２３に記載の廃棄物容器（３）。
【請求項２５】
前記係合手段が、前記閉鎖手段（９）を前記蓋部（５）に解除可能に係合するためのネジ機構を備える、請求項２２または２３に記載の廃棄物容器（３）。
【発明の詳細な説明】
【技術分野】
【０００１】
本発明は、廃棄物モジュールに関し、具体的には、リサイクルを支援する、廃棄物を分別、収集するための廃棄物モジュールに関する。さらに、本発明は、廃棄物モジュールとともに使用するための廃棄物容器にまで及ぶ。
【背景技術】
【０００２】
廃棄物のリサイクルが次第に一般的になっている。リサイクル時、廃棄物は、さまざまな種類、例えば、紙、ガラス、堆肥にできる廃棄物などに分離される。リサイクルの方法がますます非常に複雑になるにつれて、リサイクルまたは廃棄のためのさまざまな廃棄物のタイプの分離を次第に改良することが必要になっている。しかしながら、多数の容器が廃棄物を分離するために必要とされ、消費者に対するリサイクル費用および困難さを増加させるリサイクルが困難に直面していることがある。
【０００３】
特許文献１は、異なる廃棄物に対して色分けされたリサイクル可能な廃棄物袋の使用を必要とするいくつかの区画に分割された食器棚の中に配置可能なリサイクル廃棄物用ごみ箱について記載している。しかしながら、リサイクル可能な廃棄物袋の使用の必要性が費用および複雑さを増加させている。
【０００４】
特許文献２は、固定された区画が固体廃棄物をリサイクル可能な材料およびごみに分離するために用いられているごみ箱の使用について記載している。
【特許文献１】英国特許第２３９１７９４号
【特許文献２】米国特許第５３９８８３８号
【発明の開示】
【発明が解決しようとする課題】
【０００５】
本発明の発明者らは、廃棄物モジュールの使用の容易さに関して、またさらに広範囲のリサイクルの必要性を手助けするように廃棄物モジュールを適応させる能力に関して、驚くほどの利点をもたらす廃棄物モジュールを発明した。
【課題を解決するための手段】
【０００６】
本発明の第１の態様によると、廃棄物モジュール（１）であって、フレーム部（２）と、蓋部（５）とを備え、フレーム部（２）が、少なくとも１つの廃棄物容器（３）を収容することができ、蓋部（５）が、少なくとも１つの廃棄物容器（３）の閉鎖手段（９）に解除可能に係合させることができる廃棄物モジュールが提供される。
【０００７】
一実施形態において、廃棄物モジュールは、基部（１４１）をさらに備え、基部（１４１）が、少なくとも１つの廃棄物容器（１０３）を前記廃棄物モジュール（１０１）に解除可能に係合させることができきる少なくとも１つの係合手段（１４２）を備える。
【０００８】
一実施形態において、蓋部（１０５）は、第１の閉位置と第２の開位置の間で可動であり、蓋部（１０５）の移動は、廃棄物容器（１０３）の本体部（１０８）から蓋部（１０５）を移動させるために第１の位置と第２の位置の間の移動の間、蓋部（１０５）に係合している閉鎖手段（１０９）のいずれも蓋部（１０５）に係合されたままであるようにする。
【０００９】
一実施形態において、閉鎖手段（９）の外面は、閉鎖手段（９）を蓋部（５）に解除可能に係合するためのネジ機構を有する。
【００１０】
一実施形態において、閉鎖手段は、取手部（１４、１１４）を有する。
【００１１】
廃棄物モジュールは、以下の１、２、３、４、５、６、７、８、９、１０、１１、１２または１３以上のいずれか１の個数の廃棄物容器（３）を備える。また、廃棄物モジュールは、これらの個数より多い廃棄物容器を有することが理解されるだろう。廃棄物モジュールの中に収容される廃棄物容器は、同一の形状、断面または直径からなってもよく、あるいは異なる形状、断面または直径からなってもよい。
【００１２】
取外し可能な廃棄物容器は、空にし、掃除することが容易である。また、これら廃棄物容器は、簡単で小型で効果的なリサイクル用廃棄物の構成を可能にする。廃棄物容器それぞれは、廃棄物の分離を容易とするために特定のタイプの廃棄物に適合することができる。
【００１３】
少なくとも１つの取外し可能な廃棄物容器の少なくとも１つが、少なくとも１つの他の交換用の廃棄物容器と交換可能であることが好ましい。
【００１４】
一実施形態において、少なくとも１つの他の交換用の廃棄物容器は、少なくとも部分的に剛体である。
【００１５】
廃棄物容器は、特定の廃棄物を貯蔵するために適した廃棄物容器の選定を可能にするために互換性がある。家庭またはビジネスでは、それらの廃棄物の要求に応じて特定の廃棄物容器を選定することができる。さらに、廃棄物の要求が変化する場合、選択された廃棄物容器は、変化する廃棄物の必要性に従って交換されてもよい。例えば、より多くの廃棄物のリサイクルを始める家庭は、より少ない一般廃棄物容器を必要とする。廃棄物を堆肥にすることを始める家庭は、堆肥廃棄物容器を加えることができる。在宅勤務を始める家庭の住居者は、より多くの紙廃棄物を生成することがあり、廃棄物モジュールに加えられるべき紙廃棄物容器を必要とすることがある。
【００１６】
有利には、複数の廃棄物容器の少なくとも１つ、あるいは少なくとも１つの取外し可能な廃棄物容器、または少なくとも１つの交換用廃棄物容器は、取外し可能な基部を備える。
【００１７】
代替的または追加的には、複数の廃棄物容器少なくとも１つ、あるいは少なくとも１つの取外し可能な廃棄物容器、または少なくとも１つの交換用の廃棄物容器は、取外し可能な蓋部を備える。
【００１８】
適切には、複数の廃棄物容器の少なくとも１つ、あるいは少なくとも１つの取外し可能な廃棄物容器、または少なくとも１つの交換用の廃棄物容器が、シリンダ形状を有する。
【００１９】
有利には、取外し可能な蓋部および取外し可能な基部のうち少なくとも一方が、廃棄物容器に取外し可能な蓋部および取外し可能な基部を固定するためのネジ機構を有し、廃棄物容器はネジ機構に係合するための少なくとも１つのネジ係合部を備える。
【００２０】
一実施形態では、少なくとも１つのネジ係合部が廃棄物容器の外面の上にあり、ネジ機構が、取外し可能な蓋部および取外し可能な基部のうち少なくとも一方の内面の上にある。
【００２１】
好ましくは、取外し可能な蓋部および取外し可能な基部のうち少なくとも一方が、臭気シールを有する。
【００２２】
廃棄物容器の中の廃棄物からの臭気は、取外し可能な蓋部および取外し可能な基部によって解放されることが防止される。臭気シールはゴムまたは他の密封材料であることができる。
【００２３】
代替的または追加的には、取外し可能な蓋部および取外し可能な基部の少なくとも一方は取手部を有する。
【００２４】
蓋用取手部は、空の取外し可能なまたは交換用の廃棄物容器を廃棄物モジュールの中に交換するために有用である。また、この蓋用取手部は、廃棄物モジュールから満杯の取外し可能なまたは交換用の廃棄物容器を取り外し、それを運搬するために用いられてもよい。基部用取手部は基部の取手部に係合する廃棄物モジュールの基部の中の相補的に成形された陥凹部の間に解除可能な係合を用いて廃棄物モジュールの中に廃棄物容器を固定するために用いられてよい。
【００２５】
取外し可能な基部は、容易に容器を空にし、掃除することを可能にし、廃棄物モジュールの中のごみ袋を使用する必要性をなくす。
【００２６】
一実施形態において、複数の廃棄物容器、あるいは少なくとも１つの取外し可能な廃棄物容器、または少なくとも１つの交換用の廃棄物容器は、異なるタイプの廃棄物を収容するように構成されている。
【００２７】
好ましくは、少なくとも１つの取外し可能な廃棄物容器が、廃棄物モジュールの中に堅く嵌合されるように成形される。
【００２８】
取外し可能な廃棄物容器は、使用中、廃棄物モジュールの中にしっかりと保持される。適切には、これは容器の基部の廃棄物モジュールの基部との係合を用いて手助けされる。
【００２９】
望ましくは、複数の廃棄物容器の少なくとも１つ、あるいは少なくとも１つの取外し可能な廃棄物容器、または少なくとも１つの交換用の廃棄物容器が、滑らかな内部を有する。
【００３０】
この滑らかな内部は、容易な掃除を手助けし、ごみ袋の使用の必要性をなくす。
【００３１】
好ましくは、廃棄物モジュールは廃棄物モジュール蓋部を備え、少なくとも１つの廃棄物容器の取外し可能な蓋部が、廃棄物モジュール蓋部に取付け可能である。
【００３２】
代替的または追加的には、少なくとも１つの廃棄物容器の取外し可能な蓋部は、取外し可能な蓋部の外周辺の周りに設けられた係合手段を有する。一般に、この係合手段は、ネジ係合を可能にするためのネジ山である。廃棄物モジュール蓋部は少なくとも１つの開口部を有し、この開口部は、廃棄物モジュール蓋部が閉位置にあるとき、容器用蓋部と概ね一致して設けられる。容器用蓋部の外面のネジ部は、少なくとも１つの蓋の開口部の内面の周りに設けられたネジ部に係合する働きをする。
【００３３】
一実施形態において、容器用蓋のネジ部は、蓋部の取手部の上に設けられる。別の実施形態において、ネジ部が、蓋部または閉鎖手段であって取手手段またはおよび容器の廃棄物モジュールの基部との係合ために機能しない閉鎖手段の区域に設けられる。
【００３４】
一実施形態において、廃棄物モジュールは、形状が長方形、正方形、三角形または円形である。廃棄物モジュールは必要な特性をもたらすどのような形状であってもよい。
【００３５】
好ましくは、廃棄物モジュールの側面が、扉部を有する。
【００３６】
好ましくは、廃棄物モジュールが、キッチンユニットの中に摺動可能な摺動フレームを備える。
【００３７】
好ましくは、扉部が作り付けキッチンの中に一体化のための木製パネルを有する。
【００３８】
本発明の第１の態様によると、少なくとも１つの開口部（１０）が形成された本体部（８）を備え、前記開口部（１０）が閉鎖手段（９）に解除可能に係合可能であり、閉鎖手段（９）の外面が廃棄物モジュール（１）の蓋部（５）に解除可能に係合するために適した係合手段を有する廃棄物容器（３）が、提供される。
【００３９】
一実施形態において、閉鎖手段（９）は、廃棄物容器（３）の閉鎖手段（９）が、前記廃棄物モジュール（１）の蓋部（５）に係合されない第１の位置から、閉鎖手段（９）が前記廃棄物モジュール（１）の蓋部（５）に係合される第２の位置に閉鎖手段（９）を移動させることができる取手部（１４）をさらに有する。
【００４０】
一実施形態において、係合手段は、閉鎖手段（９）を蓋部（５）に解除可能に係合するためのネジ機構を有する。
【００４１】
このネジ係合部は、廃棄物材料が、使用中、ネジ係合部またはネジ機構自体の中に引っかからないように外面にある。
【００４２】
一実施形態において、廃棄物容器の本体は実質的にシリンダ状の形状を形成する。別の実施形態において、シリンダ状の本体は、実質的に正方形、長方形、三角形または楕円形などを形成する。
【００４３】
別の実施形態において、同形状および／または同サイズの容器の本体部は、貯蔵の容易さを手助けするために互いの中に貯蔵されてもよい。
【００４４】
一実施形態において、本体に結合される蓋部および基部部分は、実質的に同一である。
【００４５】
廃棄物容器は、断面が実質的にシリンダ状の本体部から形成されてもよい。別の実施形態において、シリンダ状の本体は、形状が実質的に正方形、長方形または三角形であってもよい。
【発明を実施するための最良の形態】
【００４６】
ここで、実施例だけの目的で添付図を参照して本発明のさまざまな実施形態を説明する。
【００４７】
図に示すように、本発明による廃棄物モジュール（１）は、リサイクルおよび廃棄に対してさまざまなタイプの塵芥を受け入れるように構成された複数の個別のモジュール／シリンダ状の廃棄物容器（３）（以下で個別のモジュールと称する）で構成されている。個別のモジュール（３）は、満杯のとき廃棄またはリサイクルのために廃棄物モジュール（１）から取り外されうる。
【００４８】
図１から図７は、廃棄物モジュール（１）が、家庭のキッチンユニットの中に組み込まれるために摺動フレーム（２）を備える本発明の第１の実施形態を示す。廃棄物モジュール（１）は、構造が実質的に箱状であり、底部パネル（２７）、正面パネル、この場合は、ステンレス鋼製の正面扉部（４）、および上部パネル（５）を有し、すべてが上述の摺動フレーム（２）の上に取り付けられた筐体で構成されている。廃棄物モジュール（１）は，作り付けキッチンに整合するように扉部（図示せず）への取付けをもたらしうることが理解されるだろう。この扉部は、必要とされる審美的な外観および特性をもたらす木、木材または任意の他の材料で形成され、ステンレス鋼製の正面扉部（４）に代わりにまたはステンレス鋼製の正面扉部（４）に取り付けられてもよい。また、廃棄物モジュール（１）は、摺動フレーム（２）がない独立のユニットであってもよいことが理解されるだろう。
【００４９】
本実施形態では、廃棄物モジュール（１）は、３行３列構成で配置された９個の個別のシリンダ状の廃棄物容器モジュール（３）を収容する。上部パネル（５）には、廃棄物容器モジュール（３）の対応する３行３列構成と一致して配置される９個の対応する上部パネル開口部（３５）が設けられている。廃棄物容器の閉鎖手段要素（９）を形成する働きをする蓋部は、以下で十分に説明するように上部パネル開口部（３５）に解除可能に係合されてもよい。
【００５０】
上部パネル（５）は、上部パネル（５）の開け閉めをもたらす枢動手段として働くために背上部パネル蝶番（６）をさらに備える。上部パネル（５）は、モジュール蓋部（９）が中にネジ締めされる蝶番が付いた蓋部である。
【００５１】
個別の容器（３）それぞれは、円形の基部（７）の中にあるネジと、基部（７）の中のネジから直立したこの実施形態では形状が実質的にシリンダ状の本体部（８）と、シリンダ状の壁部（８）と取外し可能に係合されうる実質的に円形の閉鎖蓋部（９）とを備える同一の構造である。シリンダ状の壁（８）は、塵芥または廃棄物を収容するための円形でシリンダ状の口部（１０）を形成し、一方、シリンダ状の本体部（８）は、本体部の上側開口部の反対側端部に設けられた第２の開口部をさらに形成する。この下側開口部は、本体の上側開口部に解除可能に係合可能である円形の蓋閉鎖手段と同一であってもなくてもよい基部部材に結合される。閉鎖下側閉鎖手段が、容器本体部の外面および閉鎖手段の内部に存在するネジ山によって手助けされたネジ締めすることによって容器本体部に結合されてよい。典型的には、容器（３）の内面は滑らかである。
【００５２】
基部閉鎖部材（７）の内壁にはネジ山（１２）が設けられており、このネジ山はシリンダ状の壁（８）の相補的なネジ山に係合可能である。基部閉鎖部材（７）は、廃棄物モジュールの摺動フレーム（２）の底部パネル（２７）の上に個別の容器（３）を配置するためにその底面の上に陥凹溝部（２９）をさらに備える。摺動フレーム（２）は、内蔵式一体型ユニットの中に廃棄物モジュール（１）を組み込むために適しているが、必須ではないことが理解されるだろう。より詳細には、図７に示すように、底部パネル（２７）には、個別のモジュール（３）を固定するために溝部（２９）の中に嵌合されるように構成された３本の横方向棒部（２８）が設けられている。典型的には、横方向棒部（２８）は、廃棄物モジュール（１）の基部のプラスチック成形の一部をなす。
【００５３】
廃棄物容器の上側閉鎖蓋部（９）には、シリンダ状の壁部（８）の周辺に存在する相補的なネジ山（１５）への取付けのための雌ネジ山（３６）が設けられており、ネジ山の係合は蓋部を容器の本体に係合する働きをし、これにより容器（３）を閉める働きをする。上側閉鎖蓋部（９）には、廃棄物モジュールの上部パネル開口部（３５）への取付けを手助けするための雄ネジ山（１３）がさらに設けられている。蓋部（９）は、使用時に個別の容器（３）に取り付けられないが、蓋部は上部パネルが使用のために開けられるまでシールとして作用する。使用時において、容器用蓋部（９）は、シリンダ状の雄ネジ山（１５）と完全に係合することなくモジュール（３）の上部（３７）の中にうまく取り付けることによって臭気シールとして作用する。また、容器用蓋部（９）には、個別のモジュール（３）の上に容器用蓋部（９）をネジ締めするとき支援して廃棄物モジュール（１）からの個別のモジュール（３）の持上げおよび取外しを支援するための蓋用取手部（１４）が設けられている。使用時には、容器用蓋部（９）は、上部パネル（５）が蝶番式に動かされ開くとき、容器用蓋部（９）が持ち上がるように上部パネル（５）に固定される。
【００５４】
容器用蓋閉鎖手段（９）の上の雌ネジ山（３６）および雄ネジ山（１３）は、利用者が個別の廃棄物容器モジュール（３）から雌ネジ山（３６）を係合解除し、廃棄物モジュール（１）の上部蓋部（５）の雄ネジ山（１３）に係合することを同時に可能にするように配置される。蓋用取手部（１４）は、例えば９０°回転で回転させられてもよく、この回転は、例えば、個別のモジュール（３）を開け、廃棄物モジュール（１）の上部パネル（５）に容器用蓋部（９）を固定するために時計方向であってもよい。
【００５５】
同様に、個別のモジュール（３）がリサイクルのための材料他の一般的な廃棄物で満杯のとき、蓋用取手部（１４）は、個別の廃棄物容器モジュール（３）を閉め密封し、廃棄物モジュール（１）の上部パネル（５）から容器用蓋部（９）を解除し係合解除するために、反対方向、例えば９０°反時計方向に回転されてもよい。次いで、個別のモジュール（３）は、容器用蓋部（９）が密封され閉められた状態で廃棄物モジュール（１）から取り外されてよい。
【００５６】
図４は、複数の廃棄物容器（３）のモジュール配置（１６）の上面および一側面からの斜視図を示す。モジュール配置（１６）の個別の廃棄物容器（３）は、容器それぞれが異なるタイプの廃棄物の貯蔵に用いられることを示すまたは指定するために色分けされている。図５に示すように、サンプル容器品目名（１７）は、錫を貯蔵するために用いられうる容器（１８）と、ガラスを貯蔵するために用いられるべき容器（１９）と、埋立てに適した廃棄物を貯蔵するために用いられる容器（２０）と、テトラカートンを貯蔵するために用いられるべき容器（２１）と、茶色の堆肥(compost brown)を貯蔵するために用いられるべき容器（２２）と、堆肥にできる廃棄物を貯蔵すべき容器（２３）と、段ボールを貯蔵するために用いられるべき容器（２４）と、プラスチックを貯蔵するために用いられるべき容器（２５）と、紙を貯蔵するために用いられるべき容器（２６）とで構成されている。
【００５７】
図８は、同参照番号が同部品を示す、別の廃棄物モジュール配置（３０）の上面図を示す。本実施形態において、廃棄物モジュール（１）は、上述のように９個の個別の廃棄物容器モジュール（３）を収容するために用いられる。しかしながら、廃棄物モジュール（１）は、廃棄物の分離の増加のために個別の小径の廃棄物容器（３１）をさらに備える。例えば、図８に示すように、小径の廃棄物容器（３１）は、電池、アルミ箔、木、硬化プラスチック、クリスプバッグ、金属、牛乳瓶蓋、プラスチック製ストロー、プラスチック製食卓食器類、ジュース蓋などの形式で廃棄物を収容するように指定されている。小径の容器（３１）は、廃棄物モジュール（１）の中の個別の容器（３）の間に配置される。
【００５８】
図９は、廃棄物モジュール（１）が埋立てごみ、紙およびプラスチックを貯蔵するように構成された３個の個別の廃棄物容器を収容する代替のモジュール配置（３２）を示し、一方、図１０は、個別の容器（３）がプラスチック、埋立てごみ、ガラスおよび段ボールを収容するように指定された別のモジュール配置（３３）を示す。
【００５９】
図１１は、個別の廃棄物容器（３）が錫およびガラスを受け入れるように指定される別の簡略化されたモジュール配置（３４）である。
【００６０】
図１２から図１５を参照すると、図１から図７に示す実施形態と実質的に同じである本発明の第２の実施形態が、開示されている。
【００６１】
図１２から図１５は、廃棄物モジュール（１０１）が３行３列構成で配置された９個の個別の容器（１０３）を備える本発明の第２の実施形態を示す。個別の容器（１０３）は、廃棄物モジュール（１０１）から取外し可能である。廃棄物モジュール（１０１）は、家庭用キッチンユニットの中への組込みのための摺動フレーム（１０２）およびステンレス鋼製の正面扉部（１０４）を備える。廃棄物モジュール（１０１）は、摺動フレーム（１０２）に沿って廃棄物モジュール（１０１）を摺動することによって図１２に示すように貯蔵位置から図１３および図１４で示す使用位置に移動させられうる。
【００６２】
上部パネル（１０５）は、背上部パネル蝶番（１０６）を介して摺動フレームに対して蝶番式に動かされる。上部パネルは、３個ずつ構成でやはり配置された９個の対応する上部パネル開口部（１３５）を備える。
【００６３】
個別のモジュール（１０３）それぞれは、シリンダ状の壁部（１０８）と、蓋部（１０９）の中にあるネジと、基部（１０７）の中にあるネジとを備える。蓋部（１０９）の中のネジおよび基部（１０７）の中のネジは同一の構造からなり、それぞれは、取手部（１１４、１４０）を有し、ネジ機構によってシリンダ状の壁（１０８）から脱着可能である。個別のモジュール（１０３）を閉めるようにシリンダ状の壁部（１０８）の上に相補的なシリンダ状の雄ネジ山（１１５）への取付けのため、蓋部（１０９）の中にあるネジには、雌ネジ山（１３６）が設けられている。容器用蓋部（１０９）には、蓋用取手部（１１４）の周辺外面の周りに配置された雄ネジ山（１１３）がさらに設けられている。これにより、容器用蓋部の廃棄物モジュールの上部パネル用蓋部の中の開口部（１３５）への取付けを手助けし、これにより、容器用蓋部と一致して容器用蓋部を収容する。
【００６４】
図１４に示すように、廃棄物モジュール（１０１）の底部パネル（１４１）が、３行３列構成で配置された陥凹部（１４２）を備える。陥凹部（１４２）それぞれは、個別の容器（１０３）が廃棄物モジュール（１０１）の中の適所に固定されうるように基部用取手部（１４０）を収容するために成形される。個別の容器（１０３）は廃棄物モジュール（１０１）の中に降下される。容器（１０３）の基部用取手部（１４０）は、容器（１０３）を適所に整列させるために陥凹部（１４２）に配置され、個別のモジュール（１０３）の横方向の移動および回転を制限する。
【００６５】
所望の容器（１０３）すべてが廃棄物モジュール（１０１）の中で適所にあるとき、上部パネル（１０５）は、図１２に示すように蝶番式に動かされ閉められる。上部パネル（１０５）が容器の上に閉められるとき、蓋用取手部（１１４）それぞれの長手方向の寸法は、蓋用取手部（１１４）それぞれが少なくとも部分的に上部パネル開口部（１３５）を通って突出するように廃棄物モジュール蓋部の中で各対応する上部パネル開口部（１３５）の直径に対応する。
【００６６】
容器用蓋部（１０９）は、シリンダ状の壁（１０８）の上のシリンダ状の雄ネジ山（１１５）から雌ネジ山（１３６）を係合解除することによって容器（１０３）から取り外される。容器用蓋部（１０９）は、蓋用取手部（１１４）の雄ネジ山（１１３）を上部パネル開口部のネジ山（１４３）に係合することによって上部パネル（１０５）に取り付けられる。上部パネル（１０５）が閉められたとき、蓋用取手部（１１４）それぞれは、９０°時計方向に回転させられ、同時に容器（１０３）から蓋部（１０９）の中にあるネジを外し、上部パネル（１０５）に容器用蓋部（１０９）を取り付ける。
【００６７】
次いで、上部パネル（１０５）は、図１３に示すように蝶番式に動かされ開くことができる。容器用蓋部（１０９）それぞれは、すべての容器（１０３）が同時に開けられるように上部パネル（１０５）に取り付けられたままである。
【００６８】
廃棄物モジュール（１０１）から少なくとも１またはすべての容器（１０３）を取り外すことが望ましいとき、上部パネル（１０５）は蝶番式に動かされて閉められる。個別のモジュール（１０３）それぞれに対応する蓋用取手部（１１４）それぞれは、同時に上部パネル（１０５）から容器用蓋部（１０９）を取り外し、容器（１０３）に容器用蓋部（１０９）を取り付けるために９０°反時計方向に回転させられる。次いで、上部パネル（１０５）は、少なくとも１またはすべての容器（１０３）が廃棄物モジュール（１０１）の外へ個別のモジュール（１０３）それぞれを持上げるために蓋用取手部（１１４）を用いて取り外されてよいように開けられる。
【００６９】
容器用蓋部（１０９）を開放または閉塞して上部パネル（１０５）にそれを取り付けるために必要な回転方向および角度は、ネジ山の形状および寸法によって決定され、どのような回転方向およびどのような数の角度であってもよいことが理解されるだろう。
【００７０】
図１６は、廃棄物モジュール（２０１）が小型の三角形構造で配置されフレーム（２０２）の中に含まれる３個の個別の容器（２０３）を有する本発明の第３の実施形態を示す。廃棄物モジュール（２０１）は、図１２から図１５に示すように廃棄物モジュール（１０１）と同様である。廃棄物モジュールは上部パネル用蓋部（２０５）を有し、この上部パネル用蓋部（２０５）は、廃棄物モジュールの中に収容された容器と対応して概ね一致している複数の開口部（２３５）を有し、これら開口部は、三角形構造で配置される。蓋部は上部パネル蝶番（２０６）を介して摺動フレームに蝶番式に動かされる。個別の容器（２０３）それぞれは、図１５に示す容器と同一であり、それぞれは、蓋用取手部（２１４）を有する蓋部（２０９）の中のネジおよび基部用取手部（図示せず）を有する基部（図示せず）の中のネジを有する。基部の中のネジおよび蓋部の中のネジは、実質的に同一である。個別の容器（２０３）は、図１２から図１５に示す廃棄物モジュール（１０１）に対する上述のように廃棄物モジュール（２０１）に固定され、取り外される。
【００７１】
廃棄物モジュール（２０１）は、独立のユニットとして用いられてもよい。あるいは、廃棄物モジュール（２０１）は、取付け手段（図示せず）を用いてキッチンユニットの扉にフレーム（２０２）の背部を取り付けることによってキッチンユニットの扉に取り付けられてもよい。
【００７２】
使用中において、廃棄物モジュール（１）は、上述のように構成され、個別のモジュールは廃棄物を収容するためにそれらの品目名に応じて用いられる。個別のモジュール（３）が廃棄物で満杯であるとき、個別のモジュール（３）は、廃棄物モジュール（１）から取り外され、シリンダ状の蓋部（９）で密封され、要求に応じリサイクルのために運搬されてもよい。
【００７３】
廃棄物モジュール（１）により、消費者がすべての家庭（または実際には職場）の廃棄物を制御可能となり、廃棄物はリサイクルされ、例えばガラスは、満杯のとき、その個別のモジュール（３）の中に密封して、分離して収集し、地元の空き瓶入れに運搬することができ、一方、堆肥可能な茶色および緑色の廃棄物は、収集した後、堆肥にすることができる。また、本発明の廃棄物モジュール（１）は、埋立てごみ用の一般廃棄物の収集を容易にし、それによってすべてのタイプの家庭または商業の廃棄物に対する解決策をもたらす。
【００７４】
一般的に、個別のモジュール（３）は、標準のサイズおよび形状からなる。これは、廃棄物モジュール（１）がサイズの増加または減少を可能にするのに有用である。異なる可能性のある柔軟な廃棄物モジュール（１）のレイアウトは、家庭、ビジネスまたは公共の場所でこのような廃棄物モジュール（１）を用いることに適合する。個別のモジュール（３）のサイズは、廃棄物が廃棄物収集システムの一部として収集されることが可能になるように標準化されてもよい。個別のモジュール（３）は、収集を待つために外で貯蔵され、またはリサイクルセンターまたは他の廃棄物廃棄センターに運搬されうる。
【００７５】
本発明の廃棄物モジュールは、個別のモジュール（３）が廃棄のために取り外され要求に応じて交換されるので、ごみ袋または袋の必要性をなくす。個別のモジュール（３）は、生分解性材料を含む任意の適した材料から製造されてもよい。上述のように、個別のモジュール（３）は、所望のように色指定されてもよい。モジュール（３）それぞれのねじ込み式の基部（７）およびシリンダ状の蓋部（９）は、廃棄物モジュール（１）の掃除を容易とするために上述のように容易に取り外しすることが可能である。
【００７６】
例えば個別の開始リサイクルが、最初に２以上の一般廃棄物モジュール（３）を用い、リサイクルのレベルが増大するにつれて一般廃棄物モジュール（３）の個数を減少させるなどそれらの必要に応じて、消費者は、個別のモジュール（３）を選択してもよい。別の実施例として、幼児がいる家族はオムツモジュールを有することができる一方、煩雑にもてなしをする家庭は１以上のガラスまたはアルミニウムモジュールを有することを選んでもよい。
【００７７】
上述のように、小サイズまたは小径の追加的モジュール（３１）が、利用者の必要に応じて廃棄物モジュールの中に含まれてもよい。瓶の蓋などの品目は、例えば多量に製造業者へ順に返還するために現地の業者に返却されてもよい。
【００７８】
上述のように、廃棄物モジュールは作り付けキッチンの中に組み込まれてよく、または、代替的には独立のユニットの形で設けられてもよい。
【００７９】
廃棄物モジュール（１）は多くの用途を有し、ごみ廃棄場に送られる減少された一般廃棄物の効率的な収集方法として車輪付きごみ箱を置換するために用いられることがやはりできる。ごみ廃棄場に向かうことになっている個別のモジュールは、大きく高価な車輪付きごみ箱を用いる代わりに、密封され、収集のためにそのまま残されてもよい。
【００８０】
本発明の別の実施形態において、廃棄物モジュール（１）は、上部パネル（５）の下に配置される取り外し可能な上部トレイを備える。この上部トレイは、消費者が所望するようにモジュール品目名を有することができ、個別のモジュール（３）からの側壁部への流出を防止することができる。この上部トレイはまた、廃棄物モジュール（３）それぞれに対して適した廃棄物に関する指示を有することができる。
【００８１】
本発明の別の実施形態において、個別のモジュール（３）、例えば紙およびプラスチック製瓶などを圧縮するために、圧縮機が廃棄物モジュール（１）の中に組み込まれてよい。この圧縮機は、個別のモジュール（３）それぞれの上部にネジ締めされ、簡単に圧縮の後取り外すことができる。代替的には、圧縮機は蝶番が付いた上部パネル（５）の基部に取り付けられてよい。
【００８２】
本発明の別の実施形態において、個別のモジュール（３）のプラスチック製瓶などの中身を圧縮するために、吸引手段が廃棄物モジュール（１）の中に組み込まれてよい。この吸引手段は、各個別のモジュール（３）の上部にネジ締めされ、簡単に圧縮の後取り外しすることができる。代替的には、吸引手段は蝶番が付いた上部パネル（５）の基部に取り付けられてもよい。
【００８３】
個別のモジュール（３）が、チップまたはバーコードなど追跡手段を備えることができることが理解されるだろう。
【００８４】
個別のモジュール（３）が、広告または販売目的の図式的な説明または文字列を備えることができることが理解されるだろう。
【００８５】
個別のモジュール（３）が、必ずしも廃棄物モジュール（１）の中に個別のモジュール（３）を組み込むことに限られることなく単独で用いられてもよいことが理解されるだろう。個別のモジュール（３）は独立のユニットであってもよい。
【００８６】
特定の家庭が、例えば一般廃棄物のための１の個別のモジュール（３）だけを用いることができる。家庭またはビジネスではまた、さまざまなタイプの廃棄物またはリサイクル可能な材料のためのいくつかの個別のモジュール（３）を有することができる。さらに、個別のモジュール（３）のそれぞれは、収集を待つために外で貯蔵され、またはリサイクルセンターまたは他の廃棄物廃棄センターに運搬されてよい。
【００８７】
本発明は、構造および詳細がさまざまでありうる、本明細書の中で定義された実施形態に限定されるものではない。
【図面の簡単な説明】
【００８８】
【図１】上部パネルおよびステンレス鋼製の扉部を有し、キッチンユニットの中に組み込まれるようになされた摺動フレームの上に本発明の第１の態様による廃棄物モジュールの実施形態の上面および一側面からの斜視図である。
【図２】個別のモジュールまたはシリンダ状の塵芥容器を示すために上部パネルが取り除かれた状態の図１の廃棄物モジュールの上面および一側面からの斜視図である。
【図３】個別のモジュールの上および一側面からの分解図である。
【図４】図１および図２の個別のモジュール配置の上面および一側面からの斜視図である。
【図５】サンプルモジュールの品目名を有する図４の個別のモジュール配置の上面図である。
【図６】上部パネルがその場にある状態の図４および５の個別のモジュール配置の上面図である。
【図７】個別のモジュールが廃棄物モジュールの底部パネルの上に配置された状態の廃棄物モジュールの下面図である。
【図８】より小さい直径のモジュールが廃棄物を受け入れるために個別のモジュールの間に配置された代替のモジュール配置の図である。
【図９】別の簡略化されたモジュール配置の上面図である。
【図１０】別の簡略化されたモジュール配置の上面図である。
【図１１】別の簡略化されたモジュール配置の上面図である。
【図１２】上部パネルおよび覆い扉部を有する貯蔵ユニットの中に組み込まれるようになされた摺動フレームの上の本発明の第２の態様による廃棄物モジュールの実施形態の上面および一側面からの斜視図である。
【図１３】個別のモジュールまたはシリンダ状の塵芥容器を示すために上部パネルが取り外された状態の図１２の廃棄物モジュールの上面および一側面からの斜視図である。
【図１４】廃棄物モジュールの中に１つだけの個別のモジュールまたはシリンダ状の塵芥容器が適所にある状態の図１２および図１３の廃棄物モジュールの上面および一側面からの斜視図である。
【図１５】個別のモジュールの上面および一側面からの分解図である。
【図１６】本発明の第３の態様による廃棄物モジュールの実施形態の一側面からの斜視図である。
【符号の説明】
【００８９】
１，１０１    廃棄物モジュール
２，１０２    フレーム部、摺動フレーム
３，１０３    廃棄物容器、個別のモジュール、個別の容器
４，１０４    扉部、正面扉部
５，１０５    蓋部、上部パネル
６，１０６    背上部パネル蝶番
７，１０７    基部、基部閉鎖部材
８，１０８    本体部、壁、外面
９，１０９    閉鎖手段、蓋部
１０    開口部、口部
１２    ネジ山
１３，１５，１１３    雄ネジ山
１４，１１４，１４０，２１４    取手部
１６    モジュール配置
１７    サンプル容器品目名
１８〜２６    容器
２７    底部パネル
２８    横方向棒
２９    陥凹溝部
３０    廃棄物モジュール配置
３１    廃棄物容器
３２〜３４    モジュール配置
３５，１３５    上部パネル開口部
３６，１３６    雌ネジ山
３７    上部
１４１    基部、底部パネル
１４０    係合手段、陥凹
１４１    ネジ機構、ネジ山
２０１    廃棄物モジュール
２０２    フレーム
２０３    個別の容器
２０５    蓋部
２０６    上部パネル蝶番
２０９    蓋
２３５    開口部
【図３】
2009507741.tif 000003
【図４】
2009507741.tif 000004
【図６】
2009507741.tif 000005
【図７】
2009507741.tif 000006
【図１２】
2009507741.tif 000007
【図１３】
2009507741.tif 000008
【図１４】
2009507741.tif 000009
【図１５】
2009507741.tif 000010
【図１６】
2009507741.tif 000011
【図１】
2009507741.tif 000012
【図２】
2009507741.tif 000013
【図５】
2009507741.tif 000014
【図８】
2009507741.tif 000015
【図９】
2009507741.tif 000016
【図１０】
2009507741.tif 000017
【図１１】
2009507741.tif 000018
【国際調査報告】
2009507741.tif 000019
2009507741.tif 000020